(57)【特許請求の範囲】
【請求項１】
支持脚に対して柱部が伸縮自在に形成された支柱を有する組立治具の伸縮長を調整する調整装置であって、
前記支持脚を保持して前記支柱を立設した状態に支持する支持脚保持部と、
前記支持脚保持部に設けられ、前記支持脚保持部に前記支持脚が保持された前記支柱の柱部に沿って進退可能な目盛部と、を備えたことを特徴とする調整装置。
【請求項２】
請求項１に記載の調整装置であって、
前記目盛部の上端は、前記支持脚保持部に前記支持脚が保持されて立設した状態に支持された前記組立治具の上部に当接可能とされ、所定長さに突出させた前記目盛部の上端に前記組立治具の上部を当接させることにより、前記支柱の長さが調整されることを特徴とする調整装置。
【請求項３】
請求項１または請求項２に記載の調整装置であって、
前記支持脚保持部は、平板状の台座上に設けられ、前記台座に対して回動可能に連結されて立設状態と横倒し状態とに配置可能とされ、横倒し状態とされた際に上面となる側面に、側方から前記支柱の支持脚が着脱可能な保持穴を有することを特徴とする調整装置。
【請求項４】
請求項３に記載の調整装置であって、
前記支持脚保持部が横倒し状態とされた際に互いに対向する前記支持脚保持部の側面及び前記台座の上面の少なくとも一方の面に緩衝部材が設けられていることを特徴とする調整装置。
【発明の詳細な説明】
【技術分野】
【０００１】
本発明は、例えばワイヤーハーネスの組み立てに用いられる組立治具の調整に有効な調整装置に関する。
【背景技術】
【０００２】
従来より、自動車等の車両に配索されるワイヤーハーネスを組み立てる際に、布線台上に多数の組立治具を立設させ、これらの組立治具によってケーブルやコネクタを支持してワイヤーハーネスを組み立てている（例えば、特許文献１〜４参照）。
【０００３】
この種の組立治具は、布線台に固定される伸縮可能な支柱と、この支柱の上端に設けられてコネクタやケーブルを保持する保持部とを備えており、各組立治具の支柱の長さをそれぞれ調整してケーブルの配線を行っている。
【先行技術文献】
【特許文献】
【０００４】
【特許文献１】特開平５−１１４３１５号公報
【特許文献２】特開平７−１０５７５８号公報
【特許文献３】特開平６−２２５４２４号公報
【特許文献４】特開平８−２５５５２２号公報
【発明の概要】
【発明が解決しようとする課題】
【０００５】
上記の組立治具は、その支柱が、円筒状の支持脚に対して棒状の柱部を挿入した伸縮構造とされている。支柱の長さを調整するには、作業者が支持脚に対する柱部の差し込み長さを巻尺や定規で計って調整し、その後、支持脚に対して柱部を固定するため、組立治具を片手で把持しながら支持脚の側部から工具を使ってボルトをねじ込んで締結している。
【０００６】
このように、組立治具を布線台に設置する前に行なう調整作業は、作業者による負担が大きく、多大な手間を要していた。
【０００７】
特に、ワイヤーハーネスの取り回しが複雑化するのに伴い、使用する組立治具の数が増加することから、組立治具の調整作業を容易、且つ、安全に行える環境が求められている。
【０００８】
本発明の目的は、上述した事情に鑑みてなされたものであり、ワイヤーハーネスを組み立てる際に用いられる組立治具の調整を容易、且つ、安全に行うことができる調整装置を提供することにある。
【課題を解決するための手段】
【０００９】
本発明に係る上記目的は、下記構成により達成される。
（１）  支持脚に対して柱部が伸縮自在に形成された支柱を有する組立治具の伸縮長を調整する調整装置であって、
前記支持脚を保持して前記支柱を立設した状態に支持する支持脚保持部と、
前記支持脚保持部に設けられ、前記支持脚保持部に前記支持脚が保持された前記支柱の柱部に沿って進退可能な目盛部と、を備えたことを特徴とする調整装置。
【００１０】
この調整装置によれば、支持脚保持部に保持させた支持脚に対する柱部の長さを、極めて容易に、目盛部によって所定長さに合わせることができる。また、目盛部が支持脚保持部に対して進退可能であるので、目盛部を進退させることにより、各種の長さへの調整を要する組立治具に対して容易に対応させることができる。
しかも、支持脚保持部に支持脚を保持させた状態にて、例えば、支持脚のボルトをねじ込んで柱部を固定するなどの支持脚への柱部の固定作業を行うことができる。
つまり、組立治具の支柱の長さを容易、且つ、安全に、しかも精度良く調整することができ、これにより、作業者への負担の削減、作業時間の短縮化及び寸法精度の向上を図ることができる。
【００１１】
（２）  上記（１）の調整装置であって、
前記目盛部の上端は、前記支持脚保持部に前記支持脚が保持されて立設した状態に支持された前記組立治具の上部に当接可能とされ、所定長さに突出させた前記目盛部の上端に前記組立治具の上部を当接させることにより、前記支柱の長さが調整されることを特徴とする調整装置。
【００１２】
この調整装置によれば、所定長さに突出させた目盛部の上端に組立治具の上部を当接させることにより、極めて容易に、支柱の長さを要求されている長さに調整することができる。また、目盛部の上端を組立治具の上部に当接させて目盛部を進退させて所定長さに突出させることにより、極めて容易に、支柱を伸縮させて要求の長さとすることができる。
【００１３】
（３）  上記（１）または（２）の調整装置であって、
前記支持脚保持部は、平板状の台座上に設けられ、前記台座に対して回動可能に連結されて立設状態と横倒し状態とに配置可能とされ、横倒し状態とされた際に上面となる前記支持脚保持部の側面に、側方から前記支柱の支持脚が着脱可能な保持穴を有することを特徴とする調整装置。
【００１４】
この調整装置によれば、保持穴へ組立治具の支柱を嵌め込むことにより、極めて容易に、組立治具を支持脚保持部に保持させることができる。しかも、台座に対して支持脚保持部を立設状態とすることにより、柱部を上下に伸縮させ、また、目盛部を上下に進退させ、支柱の長さ調整を容易に行うことができる。また、台座に対して支持脚保持部を横倒し状態とすることにより、保持穴に保持させた支柱の支持脚に対して柱部の固定作業を上方側から容易に行うことができ、柱部の固定作業性を向上させることができる。
【００１５】
（４）  上記（３）の調整装置であって、
前記支持脚保持部が横倒し状態とされた際に互いに対向する前記支持脚保持部の側面及び前記台座の上面の少なくとも一方の面に緩衝部材が設けられていることを特徴とする調整装置。
【００１６】
この調整装置によれば、支持脚保持部が横倒し状態とされた際に互いに対向する支持脚保持部の側面及び台座の上面の少なくとも一方の面に緩衝部材が設けられているので、支持脚保持部を台座に対して回動させて立設状態から横倒し状態へ配置させた際の衝撃を吸収することができ、支持脚保持部からの目盛部の抜け出し及び組立治具の抜け出しを防止することができ、また、衝撃によるコネクタ受け治具１への影響を抑えることができる。特に、緩衝部材を設けたことにより、支持脚保持部は、台座に対して傾斜状態に支持されるので、目盛部の抜け出しを確実に防止することができる。
【発明の効果】
【００１７】
本発明に係る調整装置によれば、ワイヤーハーネスを組み立てる際に用いられる組立治具の調整を容易、且つ、安全に行うことができる。
【図面の簡単な説明】
【００１８】
【図１】本実施形態に係る調整装置によって長さ調整が行われるコネクタ受け治具を用いたワイヤーハーネスの組立作業を説明する斜視図である。
【図２】図１のコネクタ受け治具の斜視図である。
【図３】本実施形態に係る調整装置を説明する斜視図である。
【図４】図３の調整装置を示し、（ａ）は平面図、（ｂ）は側面図、（ｃ）は正面図である。
【図５】（ａ）、（ｂ）は、それぞれ支柱の長さ調整方法を説明する図で、図４（ｂ）のＡ−Ａ断面図である。
【図６】調整装置の支持脚保持部を横倒し状態とした斜視図である。
【図７】コネクタ受け治具の長さ調整作業を説明する調整装置の斜視図である。
【図８】調整装置の支持脚保持部を横倒し状態とした調整装置の斜視図である。
【発明を実施するための形態】
【００１９】
以下、本発明に係る実施の形態の例を、図面を参照して説明する。
まず、本実施形態の調整装置が適用されるワイヤーハーネスの組立治具について説明する。
図１は本実施形態に係る調整装置によって長さ（伸縮長）調整が行われるコネクタ受け治具を用いたワイヤーハーネスの組立作業を説明する斜視図、図２はコネクタ受け治具の斜視図である。
【００２０】
図１に示すように、コネクタ受け治具（組立治具）１は、組み立てるワイヤーハーネス２のコネクタ３を保持するため、ケーブル４を支持するケーブル支持治具（組立治具）５とともに布線台６上に立設される。
【００２１】
図２に示すように、コネクタ受け治具１は、支柱１１と、この支柱１１の上端に設けられたコネクタ保持部１２とを有している。
支柱１１は、布線台６へ固着するためのボルト部１３ａが下端に設けられた円筒状の支持脚１３と、この支持脚１３に対して上端側から伸縮可能に差し込まれる棒状の柱部１４とを有している。支持脚１３には、その上端近傍にボルト穴１５が形成されて、このボルト穴１５に固定用ボルト１６をねじ込んで締め付けることにより、支持脚１３に対し、柱部１４が伸縮不能に固定される。
【００２２】
コネクタ保持部１２は、支柱１１の柱部１４の上端に固定された支持板１８と、この支持板１８の上面に形成された平面視Ｕ字状のコネクタ受け１９とを備え、コネクタ受け１９に、ワイヤーハーネス２に接続するコネクタ３が保持される。
そして、上記コネクタ受け治具１では、支持脚１３に対する柱部１４の差し込み量を調整して支柱１１の長さを調整することにより、コネクタ保持高さＨが調整される。
【００２３】
次に、上記コネクタ受け治具１の長さを調整する際に用いられる本実施形態に係る調整装置について説明する。
図３は本実施形態に係る調整装置を説明する斜視図、図４は図３の調整装置を示し、（ａ）は平面図、（ｂ）は側面図、（ｃ）は正面図、図５（ａ）、（ｂ）は、それぞれ支柱の長さ調整方法を説明する図で、図４（ｂ）のＡ−Ａ断面図、図６は支持脚保持部を横倒し状態とした調整装置の斜視図である。
【００２４】
図３及び図４に示すように、この調整装置２１は、支持脚保持部２２を備えている。支持脚保持部２２は、平板状の台座２３上に倒立可能に設けられている。
支持脚保持部２２は、基台部２４と、基台部２４の上部にて上方へ突出する調整部２５とを有している。
【００２５】
支持脚保持部２２には、その一側面２２ａに、保持穴２６が形成されている。この保持穴２６には、コネクタ受け治具１を構成する支柱１１の支持脚１３が着脱可能とされ、保持穴２６へ支持脚１３を嵌め込むと、支柱１１の支持脚１３が保持されて立設するとともに、コネクタ受け治具１の上端が支持脚保持部２２の上面から延出するようになっている。
【００２６】
支持脚保持部２２には、目盛部３１が設けられている。目盛部３１は、長尺の板状に形成されており、その一側面には、長手方向へわたって目盛３２が設けられている。また、目盛部３１には、複数の位置決め孔３３（図５参照）が、目盛３２に一致して所定間隔に複数形成されている。位置決め孔３３は、例えば、５ｍｍ間隔にて形成されている。
【００２７】
図５に示すように、目盛部３１は、支持脚保持部２２の調整部２５に形成された挿通孔３４に差し込まれている。挿通孔３４は、支持脚保持部２２の調整部２５の上面にて開口し、支持脚保持部２２の上下方向に沿って形成されている。そして、目盛部３１は、挿通孔３４に差し込まれることにより、支持脚保持部２２に対して上下方向へ進退可能とされている。
【００２８】
また、支持脚保持部２２の調整部２５には、その側面２５ａに、目盛部３１の挿通孔３４と直交した状態で連通するピン挿通孔３６が形成されており、このピン挿通孔３６には、位置決めピン３７が挿抜可能とされている。そして、図５（ａ）に示すように、このピン挿通孔３６へ位置決めピン３７を差し込むと、この位置決めピン３７の尖端が、目盛部３１の位置決め孔３３へ挿入され、これにより、支持脚保持部２２に対する目盛部３１の進退が規制される。また、この状態から、図５（ｂ）に示すように、位置決めピン３７を引き抜くと、目盛部３１の位置決め孔３３から位置決めピン３７が抜かれ、位置決めピン３７による目盛部３１の進退の規制が解除され、目盛部３１を支持脚保持部２２に対して進退可能とされる。
【００２９】
ここで、目盛部３１の目盛３２は、支持脚保持部２２の調整部２５の上面を基準面２５ｂとして読み取られるもので、この基準面２５ｂにて読み取った寸法が、コネクタ受け治具１におけるコネクタ保持高さＨ（図１参照）と一致する。
【００３０】
台座２３には、その上面に、ヒンジ収容溝４１が形成されており、このヒンジ収容溝４１には、ヒンジ４２が収容されている。
これらのヒンジ４２は、台座２３と支持脚保持部２２の保持穴２６が形成された一側面２２ａと反対側の側面２２ｂの下端とを連結し、支持脚保持部２２を台座２３に対し回動可能にしている。
これにより、支持脚保持部２２は、図３に示すように、台座２３に対して立設した状態（立設状態）と、図６に示すように、横倒しされた状態（横倒し状態）とに配置可能である。
【００３１】
支持脚保持部２２が横倒し状態とされた際、支持脚保持部２２の側面２２ｂと対向する台座２３の上面２３ａに、例えばゴムやスポンジ等のクッション材（緩衝部材）４３が設けられている。クッション材４３は、支持脚保持部２２に設けても良く、また、台座２３と支持脚保持部２２の両方に設けても良い。
【００３２】
次に、上記実施形態に係る調整装置２１によってコネクタ受け治具１の高さ調整を行う場合について説明する。
図７はコネクタ受け治具の長さ調整作業を説明する調整装置の斜視図、図８は支持脚保持部を横倒し状態とした調整装置の斜視図である。
図７に示すように、作業者は、支持脚保持部２２を倒立させた調整装置２１に対し、支持脚保持部２２の保持穴２６へ、コネクタ受け治具１の支柱１１の支持脚１３を嵌め込んで保持させる。このようにすると、コネクタ受け治具１が立設された状態に支持され、柱部１４が支持脚保持部２２の上方へ突出し、コネクタ保持部１２が支持脚保持部２２の上方へ配置された状態とされる。ここで、作業者は、支持脚１３のボルト穴１５が保持穴２６から露呈するように、支持脚１３を保持穴２６へ嵌め込む。なお、横倒し状態の支持脚保持部２２の保持穴２６に嵌め込んだ後に、支持脚保持部２２を回動させて倒立させても良い。
【００３３】
次に、コネクタ受け治具１のコネクタ保持部１２を、目盛部３１の上方に配置した状態にて、位置決めピン３７による進退の規制が解除された状態の目盛部３１を上方へ引き出す。このとき、作業者は、調整部２５の上面を基準面２５ｂとして目盛部３１の目盛３２を読み取り、要求されるコネクタ受け治具１のコネクタ保持高さＨとなるように目盛部３１を引き出した状態で、位置決めピン３７を位置決め孔３３へ挿入し、目盛部３１の進退を規制する。
【００３４】
進退が規制された目盛部３１は、その先端がコネクタ受け治具１のコネクタ保持部１２に当接し、コネクタ保持部１２を持ち上げる。これにより、支持脚１３に対して柱部１４が引き出され、よって、支柱１１の長さが調整され、コネクタ受け治具１のコネクタ保持高さＨが所定の要求高さとされる。
【００３５】
次に、図８に示すように、作業者は、コネクタ保持部１２を回動させて横倒し状態とする。
ここで、支持脚保持部２２の側面２２ｂに対向する台座２３の上面２３ａには、クッション材４３が設けられているので、この支持脚保持部２２を台座２３に対して回動させて横倒し状態へ配置させた際の衝撃が吸収され、支持脚保持部２２からの目盛部３１の抜け出し及び保持穴２６へ嵌め込んだコネクタ受け治具１の抜け出しが回避される。特に、クッション材４３を設けたことにより、支持脚保持部２２は、その上端が台座２３から僅かに持ち上がった傾斜状態に支持されるので、目盛部３１の抜け出しを確実に防止することができる。
【００３６】
次いで、作業者は、ボルト穴１５に螺合されている固定用ボルト１６を、ドライバーやインパクトレンチ等の工具によってねじ込み、支持脚１３に対して柱部１４を固定する。この際、支持脚保持部２２の保持穴２６は、支持脚１３を嵌合保持し、支持脚１３の回動を規制している。よって、作業者は、固定用ボルト１６の締結作業を上方側から容易、且つ、安全に行うことができる。
【００３７】
固定用ボルト１６の締結が完了したら、作業者は、支持脚保持部２２から支柱１１を取り外し、他のコネクタ受け治具１についても同様の作業を行う。このとき、次に高さ調整する支柱１１の要求高さが前回と同一である場合、作業者は、前回作業により突出した目盛部３１の上端にコネクタ保持部１２を当接させると、支持脚１３に対する柱部１４の差し込み量が目盛部３１によって規制される。よって、支柱１１の長さが調整され、コネクタ受け治具１のコネクタ保持高さＨが所定の要求高さとされる。この調整装置２１を用いて複数のコネクタ受け治具１の高さ調整を行うことにより、高精度にてコネクタ保持高さＨを合わせることができる。
【００３８】
なお、初回にコネクタ保持高さＨを調整する場合も、予め目盛部３１を位置決めしてから、支持脚１３を保持穴２６へ保持させ、柱部１４を支持脚１３へ押し込み、コネクタ保持部１２を目盛部３１の上端に当接させて行っても良い。
【００３９】
以上、説明したように、本発明に係る調整装置２１によれば、支持脚保持部２２に保持させた支持脚１３に対する柱部１４の長さを、極めて容易に、目盛部３１によって所定長さに合わせることができる。また、目盛部３１が支持脚保持部２２に対して進退可能であるので、目盛部３１を進退させることにより、各種の長さへの調整を要するコネクタ受け治具１に対して容易に対応させることができる。
【００４０】
しかも、支持脚保持部２２に支持脚１３を保持させた状態にて、支持脚１３の固定用ボルト１６をねじ込んで柱部１４を固定するなどの支持脚１３への柱部１４の固定作業を行うことができる。
【００４１】
つまり、コネクタ受け治具１の支柱１１の長さを容易、且つ、安全に、しかも精度良く調整することができ、作業者への負担の削減、作業時間の短縮及び寸法精度の向上を図ることができる。
【００４２】
また、所定長さに突出させた目盛部３１の上端にコネクタ受け治具１の上部のコネクタ保持部１２を当接させることにより、極めて容易に、支柱１１の長さを調整することができる。また、目盛部３１の上端をコネクタ受け治具１の上部のコネクタ保持部１２に当接させて目盛部３１を進退させて所定長さに突出させることにより、極めて容易に、支柱１１を伸縮させて要求の長さとすることができる。
【００４３】
また、保持穴２６へコネクタ受け治具１の支柱１１を嵌め込むことにより、極めて容易に、コネクタ受け治具１を支持脚保持部２２に保持させることができる。しかも、台座２３に対して支持脚保持部２２を立設状態とすることにより、柱部１４を上下に伸縮させ、また、目盛部３１を上下に進退させ、支柱１１の長さ調整を容易に行うことができる。また、支持脚保持部２２を横倒し状態とすることにより、支持脚１３に対する柱部１４の固定作業を上方側から容易に行うことができる。
【００４４】
しかも、支持脚保持部２２が横倒し状態とする際に支持脚保持部２２の側面２２ｂと対向する台座２３の上面２３ａにクッション材４３が設けられているので、支持脚保持部２２を横倒し状態にした際の衝撃を吸収することができ、目盛部３１の抜け出しやコネクタ受け治具１の抜け出しを防止することができる。
【００４５】
なお、上記実施形態では、調整装置２１の目盛部３１に複数の位置決め孔３３を形成し、位置決めピン３７を挿抜することにより、目盛部３１を位置決め孔３３の間隔にてコネクタ受け治具１の高さを段階的に調整する構造としたが、目盛部３１を無段階に進退させることにより、コネクタ受け治具１の高さを無段階に調整する構造としても良い。
【００４６】
また、上記実施形態では、調整装置２１によって高さ調整を行う治具として、コネクタ３を所定高さ位置に保持するコネクタ受け治具１を例にとって説明したが、ケーブル４を支持するケーブル支持治具５に適用することもできる。つまり、本実施形態の調整装置２１は、支柱が伸縮する組立治具であれば適用可能であり、例えば、ワイヤーハーネスに組み付けるグロメットを所定高さ位置に保持するグロメット受け治具など他の治具にも適用可能である。
【００４７】
また、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４８】
１  コネクタ受け治具（組立治具）
１１  支柱
１３  支持脚
１４  柱部
２１  調整装置
２２  支持脚保持部
２３  台座
２６  保持穴
３１  目盛部
４３  クッション材（緩衝部材）
【図１】
0005484973.tif 000002
【図２】
0005484973.tif 000003
【図３】
0005484973.tif 000004
【図４】
0005484973.tif 000005
【図５】
0005484973.tif 000006
【図６】
0005484973.tif 000007
【図７】
0005484973.tif 000008
【図８】
0005484973.tif 000009